(57)【要約】【課題】装置本体の前面又は該前面近傍に配置され、前記装置本体の後方から前方に向かう排出方向に排出される用紙を載置する台を具備し、前記台の前方端部が操作者による前記画像読取手段への接近を規制している状態で用いられる用紙トレイについて、操作等の際に操作者の邪魔にならず、かつ、排出されるシート状媒体を可能な限り広い支持面で支持し、載置することのできる用紙トレイ及び、該用紙トレイを備えた画像形成装置を提供すること。【解決手段】台２３の前方端部が、左右方向上の一部で、操作者による装置本体や画像読取手段への接近を許容し得るように、後方側に入り込む凹形形状２６に形成した。【選択図】図４
2009120295.tif 000002
【特許請求の範囲】
【請求項１】
装置本体の前面又は該前面近傍に配置されていて、前記装置本体の排出口を経て、前記装置本体の後方から前方に向かう排出方向に排出されるシート状媒体を載置する台を具備し、この台は前記装置本体の前面に対向して位置する操作者よりも大きい横幅をもち、この台の上方かつ後方には、前記シート状媒体が排出される向きとは逆向きに挿入された当該原稿の画像を読み取る画像読取手段が位置し、前記台の前方端部が操作者による前記画像読取手段への接近を阻む位置にある用紙トレイにおいて、
前記台の前方端部が、左右方向上の一部で、前記操作者による前記画像読取手段への接近を許容し得るように、後方側に入り込む形状、大きさに形成されていることを特徴とする用紙トレイ。
【請求項２】
請求項１に記載の用紙トレイにおいて、
前記後方側に入り込む形状が前記台の左右方向における中央部の前側又は左右何れかの端部の前側に形成されていることを特徴とする用紙トレイ。
【請求項３】
請求項１又は２に記載の用紙トレイにおいて、
前記後方側に入り込む形状は凹形をなし、人が身体を入れて前記装置本体又は前記画像読取手段の操作のために前記装置本体側に近づくことを許容する大きさ以上であることを特徴とする用紙トレイ。
【請求項４】
請求項３に記載の用紙トレイにおいて、
前記凹形部を開閉する開閉部材を有することを特徴とする用紙トレイ。
【請求項５】
請求項４に記載の用紙トレイにおいて、
前記開閉部材は前記台に対する位置が可変であり、その位置によって前記凹形部を開閉可能であることを特徴とする用紙トレイ。
【請求項６】
請求項５に記載の用紙トレイにおいて、
前記位置の可変は、前記開閉部材を前記台に対して着脱可能とすることによりなされ、装着状態で前記凹形部を閉じるように装着位置を定めかつ、定めた位置を保持する位置決め位置保持手段を有することを特徴とする用紙トレイ。
【請求項７】
請求項５に記載の用紙トレイにおいて、
前記位置の可変は、前記開閉部材をスライドすることによりなされ、該スライド用のガイドを有することを特徴とする用紙トレイ。
【請求項８】
請求項７に記載の用紙トレイにおいて、
前記開閉部材は前記凹形部から退避した位置から前記凹形部を閉じる位置に向かうように付勢されていることを特徴とする用紙トレイ。
【請求項９】
請求項８に記載のトレイにおいて、
前記凹形部から退避した前記開閉部材の停止位置を保持し、また、該停止位置の保持を解除可能なロック及びロック解除手段を有することを特徴とする用紙トレイ。
【請求項１０】
請求項５に記載の用紙トレイにおいて、
前記可変の態様は回動であり、前記開閉部材はその一端側を支点として回動可能に取付けられていて、回動位置により前記凹形部を開閉することを特徴とする用紙トレイ。
【請求項１１】
装置本体の前面又は該前面近傍に配置されていて、前記装置本体の排出口を経て、前記装置本体の後方から前方に向かう排出方向に排出されるシート状媒体を載置する台を具備し、前記台は前記装置本体の前面に対向して位置する操作者よりも大きい横幅をもち、この台の上方かつ後方には、前記シート状媒体が排出される向きとは逆向きに挿入された当該原稿の画像を読み取る画像読取手段が位置し、前記台の前方端部が操作者による前記画像読取手段への接近を阻む位置にある用紙トレイにおいて、
前記台が左右方向の全幅で前後に分割された２つの台からなり、前方の台が後方の台に対して変位して前記後方の台の前方を空けることができることを特徴とする用紙トレイ。
【請求項１２】
請求項１１に記載の用紙トレイにおいて、
前記変位は、前記前方の台を前記後方の台に対して着脱可能とすることによりなされ、前記前方の台を前記後方の台に装着した状態で前記前方の台が前記本来の位置を占めるように装着位置を定める位置決め位置保持手段を有することを特徴とする用紙トレイ。
【請求項１３】
請求項１１に記載の用紙トレイにおいて、
前記変位は、前記前方の台をスライドすることによりなされ、該スライド用のガイドを有することを特徴とする用紙トレイ。
【請求項１４】
請求項１３に記載の用紙トレイにおいて、
前記前方の台は前記後方の台に重なる態様でスライドし、この重なり量が減る方向に向かうように付勢されていることを特徴とする用紙トレイ。
【請求項１５】
請求項１４に記載の用紙トレイにおいて、
前記前方の台の停止位置を保持し、また、該停止位置の保持を解除可能なロック及びロック解除手段を有することを特徴とする用紙トレイ。
【請求項１６】
請求項１１に記載の用紙トレイにおいて、
前記変位は、前記前方の台を、その一端側を支点として回動することによりなされることを特徴とする用紙トレイ。
【請求項１７】
請求項１１乃至１６の何れかに記載の用紙トレイにおいて、
前記変位により前記後方の台の前方を空けることでできた空間は、人が身体を入れて前記装置本体又は前記画像読取手段の操作のために前記装置本体側に近づくことを許容する大きさ以上であることを特徴とする用紙トレイ。
【請求項１８】
請求項１乃至１７の何れかに記載の用紙トレイを備えたことを特徴とする画像形成装置。
【発明の詳細な説明】
【技術分野】
【０００１】
本発明は、画像読取手段を備えた電子写真式複写装置、ファクシミリ、プリンタ、プロッタ、複合機、印刷装置等の画像形成装置から排出されるシート状媒体を受けて載置する用紙トレイ及び、該用紙トレイを備えた画像形成装置に関する。
【背景技術】
【０００２】
上下方向に配置された画像読取部と作像部との間の装置本体内に排紙部空間を設けた胴内排紙型の画像形成装置において、排紙されるシート状媒体（以下、用紙という。）として、スタックできる最大サイズとしてＡ１横サイズ（排紙方向と直交する横幅＝８４１ｍｍ）を限界とするものがある。
【０００３】
かかる画像形成装置では、胴内の排紙台が上記のようにＡ１横サイズ以上の大きさ、例えばＡ１縦サイズ（排紙方向の長さ＝８４１ｍｍ）以上の用紙が排出された場合、胴内配置の排紙台では排紙方向の長さが不足するため、装置本体の前面（前方）に落下してしまう。その場合、別に用意されたスタック用の用紙トレイを胴内配置の排紙台の前方に設置して用紙を受けるようにすれば、大きいサイズの用紙のスタックも可能となる。
【０００４】
例えば、画像形成装置の装置本体の前面又は該前面近傍に配置される用紙トレイとして、前記装置本体の排出口を経て、前記装置本体の後方から前方に向かう排出方向に排出される用紙を載置する台を具備するものがある。
【０００５】
かかる用紙トレイにおいて、その台の上方かつ後方に、用紙が排出される向きとは逆向きに原稿を挿入する原稿挿入口や、この挿入口から挿入された原稿の画像を読み取る画像読取手段が位置している場合、前記台は大サイズの用紙を受け止めてくれるものの、装置本体の前方に台が位置していると、この台が邪魔になり操作者が原稿挿入のため、その他操作のため画像読取手段に近づくのが困難である。
【０００６】
或いは、前方に原稿挿入口を備え、また、その上部に画像形成装置や画像読取手段を操作するための操作パネルを装備する構成の画像読取手段を装置本体の上部にもつ画像形成装置では、複写時において原稿挿入口へ原稿を挿入したり、操作部で画像形成に必要な操作をするために操作者が画像読取手段に近づかねばならない。
【０００７】
画像形成装置を複写機として用いる場合は、通常、装置本体の前面に操作者が立ち、原稿を原稿挿入口から挿入し、操作部にて必要な操作を行う。画像形成装置が複合機の場合であってネットワークにつなげてプリンタとして利用する場合には、原稿の挿入や、操作部の操作は通常行わないので、用紙を出力する際に、前記のような台をもつ用紙トレイがあっても邪魔にはならない。
【０００８】
しかし、画像形成装置を複写機として用いる場合には、予め画像読取手段の前方に位置する原稿挿入口へ原稿を挿入し、操作部で操作を行なう必要があるので、装置本体の前方に台が位置していると、これら操作の邪魔になってしまうという問題を生じる。
【０００９】
画像形成装置の排紙トレイに関する従来技術としては、（１）装置上部位置に画像読取部を配設し、該画像読取部の下方に作像部を配設した画像形成装置であって、前記画像読取部と前記作像部との間の装置筐体内に排紙部空間を設けた胴内排紙型の画像形成装置において、前記排紙部空間の底部に排紙トレイが設けられ、該排紙トレイの装置手前側略中央部に切欠きを設け、該切欠き部を下方に落し込んで所定の厚みを有する空間を形成するとともに該空間底部を排紙部底板で規定し、排紙部底板上に形成された前記所定の厚みを有する空間を上方及び装置手前側に開放して用紙取り出し導入空間とすることを特徴とする画像形成装置（特許文献１参照）、（２）用紙を機外から機内に導入する開口部もしくは用紙を機内から機外へ排出する開口部を有する画像形成装置の該開口部近傍に設けられ、該開口部から用紙を導入案内もしくは該開口部から排出される用紙を積載するための用紙トレイにおいて、前記用紙トレイは、前記開口部における用紙移動面に沿って回動自在であり前記開口部から突出および収納自在な一対の翼状トレイからなることを特徴とする用紙トレイ（特許文献２参照）。（３）用紙に画像情報を形成する作像部と、当該作像部を内包する装置筐体と、当該装置筐体の上方に空間を隔てて配設されており、オリジナル画像情報を読み取り当該情報を電気信号に変換して前記作像部に供給するスキャナ部と、当該スキャナ部を装置筐体上方に空間を隔てて支持する支持部と、操作部とを備えてなる画像形成装置において、少なくとも１つのビントレイが、上記空間に位置するように設けられ、ビントレイ上と装置筐体上との排出を切り換える切り換え手段とを備え、上記ビントレイの排紙取り出し側に、上記装置筐体上に排紙された用紙の確認のための切欠きが形成され、当該切欠きは上記操作部側に配置されることを特徴とする画像形成装置（特許文献３参照）などがある。
【００１０】
前記（１）、（３）の技術は、胴内排紙型の画像形成装置に適用され、画像形成装置本体内に位置する排紙台の中央部に用紙の取り出しやすさ、或いは用紙の視認を図るために切り欠きを設けたものであるが、胴内にある排紙台が操作の邪魔になることはないので、前記した、装置本体の前面又は該前面近傍に配置された台について、原稿の挿入や、操作部の操作性の障害になるという問題は本来的に存在しない。
前記（２）の技術は、受け台を「用紙移動面に沿って回動自在であり開口部から突出および収納自在な一対の翼状トレイ」で構成したもので、例示されるように、使用状態で長方形の２枚の板状部材からなる台が間隔をおいて並置されたごとき構成であり、間隔が排紙方向の全域にわたるため、用紙の受け面が小さくなる傾向にある。
【００１１】
【特許文献１】特開平８−３３９１０５号公報
【特許文献２】特開平５−２７８９２０号公報
【特許文献３】特許第３５９５０２６号公報
【発明の開示】
【発明が解決しようとする課題】
【００１２】
本発明は上述の事情のもとになされたもので、操作等の際に操作者の邪魔にならず、かつ、排出されるシート状媒体を可能な限り広い支持面で支持し、載置することのできる用紙トレイ及び、該用紙トレイを備えた画像形成装置を提供することを課題とする。
【課題を解決するための手段】
【００１３】
前記課題を達成するため請求項１に係る発明は、装置本体の前面又は該前面近傍に配置されていて、前記装置本体の排出口を経て、前記装置本体の後方から前方に向かう排出方向に排出されるシート状媒体を載置する台を具備し、この台は前記装置本体の前面に対向して位置する操作者よりも大きい横幅をもち、この台の上方かつ後方には、前記シート状媒体が排出される向きとは逆向きに挿入された当該原稿の画像を読み取る画像読取手段が位置し、前記台の前方端部が操作者による前記画像読取手段への接近を阻む位置にある用紙トレイにおいて、前記台の前方端部が、左右方向上の一部で、前記操作者による前記画像読取手段への接近を許容し得るように、後方側に入り込む形状、大きさに形成されていることとした。
請求項２に係る発明は、請求項１に記載の用紙トレイにおいて、前記後方側に入り込む形状が前記台の左右方向における中央部の前側又は左右何れかの端部の前側に形成されていることとした。
請求項３に係る発明は、請求項１又は２に記載の用紙トレイにおいて、前記後方側に入り込む形状は凹形をなし、人が身体を入れて前記装置本体又は前記画像読取手段の操作のために前記装置本体側に近づくことを許容する大きさ以上とした。
請求項４に係る発明は、請求項３に記載の用紙トレイにおいて、前記凹形部を開閉する開閉部材を有することとした。
請求項５に係る発明は、請求項４に記載の用紙トレイにおいて、前記開閉部材は前記台に対する位置が可変であり、その位置によって前記凹形部を開閉可能とした。
請求項６に係る発明は、請求項５に記載の用紙トレイにおいて、前記位置の可変は、前記開閉部材を前記台に対して着脱可能とすることによりなされ、装着状態で前記凹形部を閉じるように装着位置を定める位置決め位置保持手段を有することとした。
請求項７に係る発明は、請求項５に記載の用紙トレイにおいて、前記位置の可変は、前記開閉部材をスライドすることによりなされ、該スライド用のガイドを有することとした。
請求項８に係る発明は、請求項７に記載の用紙トレイにおいて、前記開閉部材は前記凹形部から退避した位置から前記凹形部を閉じる位置に向かうように付勢されていることとした。
請求項９に係る発明は、請求項８に記載のトレイにおいて、前記凹形部から退避した前記開閉部材の停止位置を保持し、また、該停止位置の保持を解除可能なロック及びロック解除手段を有することとした。
請求項１０に係る発明は、請求項５に記載の用紙トレイにおいて、前記可変の態様は回動であり、前記開閉部材はその一端側を支点として回動可能に取付けられていて、回動位置により前記凹形部を開閉することとした。
請求項１１に係る発明は、装置本体の前面又は該前面近傍に配置されていて、前記装置本体の排出口を経て、前記装置本体の後方から前方に向かう排出方向に排出されるシート状媒体を載置する台を具備し、前記台は前記装置本体の前面に対向して位置する操作者よりも大きい横幅をもち、この台の上方かつ後方には、前記シート状媒体が排出される向きとは逆向きに挿入された当該原稿の画像を読み取る画像読取手段が位置し、前記台の前方端部が操作者による前記画像読取手段への接近を阻む位置にある用紙トレイにおいて、前記台が左右方向の全幅で前後に分割された２つの台からなり、前方の台が後方の台に対して変位して前記後方の台の前方を空けることができることとした。
請求項１２に係る発明は、請求項１１に記載の用紙トレイにおいて、前記変位は、前記前方の台を前記後方の台に対して着脱可能とすることによりなされ、前記前方の台を前記後方の台に装着した状態で前記前方の台が前記本来の位置を占めるように装着位置を定める位置決め位置保持手段を有することとした。
請求項１３に係る発明は、請求項１１に記載の用紙トレイにおいて、前記変位は、前記前方の台をスライドすることによりなされ、該スライド用のガイドを有することとした。
請求項１４に係る発明は、請求項１３に記載の用紙トレイにおいて、前記前方の台は前記後方の台に重なる態様でスライドし、この重なり量が減る方向に向かうように付勢されていることとした。
請求項１５に係る発明は、請求項１４に記載の用紙トレイにおいて、前記前方のトレイの停止位置を保持し、また、該停止位置の保持を解除可能なロック及びロック解除手段を有することとした。
請求項１６に係る発明は、請求項１１に記載の用紙トレイにおいて、前記変位は、前記前方の台を、その一端側を支点として回動することによりなされることとした。
請求項１７に係る発明は、請求項１１乃至１６の何れかに記載の用紙トレイにおいて、前記変位により前記後方の台の前方を空けることでできた空間は、人が身体を入れて前記装置本体又は前記画像読取手段の操作のために前記装置本体側に近づくことを許容する大きさ以上であることとした。
請求項１８に係る発明は、請求項１乃至１７の何れかに記載の用紙トレイを備えた画像形成装置とした。
【発明の効果】
【００１４】
本発明によれば、操作等の際に操作者の邪魔にならず、かつ、排出されるシート状媒体を可能な限り広い支持面で支持し、載置することのできる用紙トレイ及び、該用紙トレイを備えた画像形成装置を提供することができる。
【発明を実施するための最良の形態】
【００１５】
以下、図面を参照しつつ、この発明の実施の形態につき説明する。
[１]画像形成装置の概要
図１を参照して本発明の実施形態に係る画像形成装置１の構成を説明する。本例では、画像形成装置１は概略的に、装置本体１ａと、装置本体１ａの上部に搭載された画像読取手段としての読取ユニット１ｂにより構成されている。
【００１６】
＜装置本体＞
装置本体１ａ側での用紙への書込みについて、図１にて簡単に流れを説明する。装置本体１ａの下部に設けられた給紙部２にあるロール紙３ａ、３ｂ、３ｃ、３ｄの何れかから送り出された用紙（図示せず）は、搬送ローラＲで送られ、破線で示した搬送径路をたどり、搬送径路上、作像部６の上流に位置するレジスト部５へ用紙先端が搬送される。
【００１７】
作像部６は、電子写真法の原理を応用した画像形成部であり、ドラム状をした感光体７のまわりに、その回転方向順に、帯電・露光手段８、現像手段９、転写・分離手段１０、クリーニング手段１１等を有する。
【００１８】
回転する感光体７は、帯電・露光手段８により、暗中にて一様に帯電されたのち、画像信号により露光されて静電潜像を担持する。この静電潜像は現像手段９でトナーにより可視像化されて転写・分離手段に向かう。
【００１９】
一方、レジスト部５で先端を整えられた用紙は、作像部６とのタイミングにより、搬送開始され、転写分離手段１０部で感光体７上のトナー像と会合し、該トナー像が用紙に転写される。用紙は所定量搬送された状態で、カッター４によりカットされる。トナー像の載った用紙はさらに、破線で示した搬送径路を進んで定着装置１２を通過中にトナー像が定着されて、排紙ローラ１３により、装置本体１ａの後方から前方へ向かう矢印１７で示す向きに送られ、排出口２１を通り、胴内の排紙台１４に排紙される。
【００２０】
＜画像読取手段＞
読取ユニット１ｂでの画像読取について、簡単に説明する。装置本体１ａの後方上部は、前方上部に比べて高い基台部１５になっていて、この基台部１５の上面に、画像読取ユニット１ｂが、原稿挿入口１６を前方に開口させた配置で固定されている。
【００２１】
原稿挿入口１６の前方側には原稿載置台２５が前方に向けてオーバーハング状に延びた状態で構成され、この原稿載置台２５の下方に位置する排紙台１４との間の空間が胴内排紙領域となっている。
【００２２】
原稿の読み取りに際して、矢印１８で示すように、原稿載置台２５を案内にして原稿挿入口１６に挿入された原稿は、搬送ローラＲにより読取部１９０を通過する間に画像が読み取られる。その後、用紙は、排出ローラＲＲにより、原稿トレイ１９上に排出される。
【００２３】
読取ユニット１ｂにおいて、原稿挿入口１６と原稿トレイ１９との間の部位には操作部２０がある。操作部２０は、画像形成装置１の前方に対面して操作する操作者からの視認がし易いように、後方に進むに従い高くなる勾配面２０ａとしている。この勾配面２０ａは斜め前方に向いている。
【００２４】
勾配面２０ａには、装置本体１ａや読取ユニット１ｂ等、各装置の状態を操作者に知らせたり、操作者からの画像読取条件、画像形成条件等を制御手段に伝えるためのタッチスイッチを表示する表示パネルが配置されている。
【００２５】
＜用紙トレイの比較例＞
通常、画像形成装置１としては、サイズ、設置面積を最小にする為に、出来るだけ小さく構成される。その為、本例のような構成においても胴内排紙としてのスタック面積は小さくなってしまう傾向がある。排紙台１４に排紙される用紙のサイズとしては、大きいものも排出されるが、本例の画像形成装置１では、スタックできる最大サイズとしてはＡ１横サイズが限界であり、それ以上の大きさの用紙（Ａ１縦サイズ以上）が排出された場合、マシン前面に落下してしまうことになる。
【００２６】
そのため、図１と同じ横方向から画像形成装置１を見た状態を示した図２、上から見た図３に示したように、落下防止スタック用の用紙トレイ２１を設置し、大きいサイズの用紙についても落下させることなくスタックできるようにする。
【００２７】
図２、図３において、用紙トレイ２２は、装置本体１ａの前面１ａ‐１近傍に配置されていて、装置本体１ａの排出口２１を経て、排紙台１４に至り、さらに、排紙台１４の前後方向の長さでは足りずに後方に出た用紙を載置する厚さ一定の長方形板状の台２３を有している。この例における用紙トレイ２２は画像形成装置１とは別体であり、移動可能なように、下部に車輪を有している。
【００２８】
これらの排紙台１４や台２３は、装置本体１ａの前面に対向して位置する操作者よりも大きい横幅（前後方向に直交する横（左右）方向の幅）を有し、この台２３の上方かつ後方には、用紙が排出される向き（後方から前方へ向かう矢印２５で示す向き）とは逆向き（前方から後方へ向かう向き）に挿入された原稿の画像を読み取る読取ユニット１ｂが位置する。台２３の前方端部には用紙の前方へのずれ防止のためのストッパ機能を果たすため、上方に向かう突起２４が図２において紙面と直交する左右方向に設けられている。台２３の前方端部は、何らかの手段を講じない場合には、操作に際して画像形成装置１に対面する形で用紙トレイ２２の前方に立つ操作者による読取ユニット１ｂへの接近を妨害規制する。
【００２９】
画像形成装置１を複写機として用いる場合、通常、装置本体１ａの前面に対面して台２３の前方に操作者が立ち、複写対象である原稿を原稿挿入口１６から挿入し、操作部２０にて操作を行う。その際、画像形成装置１の前面に用紙トレイ２２があると原稿の挿入操作や、操作部２０による操作等の邪魔になってしまう。画像形成装置１はネットワークにつないでプリンタとして利用する場合もあり、その場合には用紙トレイ２２があっても通常、邪魔にはならないが、原稿がジャムした場合にはやはり、ジャム紙の除去などの操作に際しては、邪魔になってしまう。そこで、本発明では、以下の実施形態例で示すように用紙トレイを構成することとした。
【００３０】
[２]用紙トレイの実施形態例
（２.１）台の前方端部の一部が後方側に入り込む形状の例
この項で述べる例は、台の前方端部が、左右方向上の一部で、操作者による画像読取手段への接近を許容し得るように、後方側に入り込む形状に形成されている。
【００３１】
（２.１.１）左右方向の中央部の凹形
（ａ）基本形
本例は、図４に示すように、台２３の前方端部が、左右方向における中央部の前側で、操作者による読取ユニット１ｂ（装置本体１ａ）への接近を許容し得るように、後方側に入り込む凹形２６をなし、その大きさは人が身体を入れて装置本体１ａ又は読取ユニット１ｂの操作のために装置本体１ａ側に近づくことを許容する大きさとし、好ましくはそれ以上の形状、大きさとする。形状の具体的な形状は実際に即して種々のもととすることができるが、本例では後方へいくほど左右方向幅寸法が小さくなる傾向の台形とし、身体が入り込み易い形状にしている。
【００３２】
原稿載置台２５に原稿を載せて手で添えながら原稿挿入口１６に原稿を挿入して読み取らせる場合や、操作部２０を操作する際には、操作者はこの凹形２６に身体（例えば、上体）を入れることで装置本体１ａ側に近づくことができ、操作が容易となる。
【００３３】
凹形２６は、台２３の前方端部を後方側に入り込ませた形状であり、該凹形２６の後方には台２３の一部が残してある。これにより、台２３が左右に分割されず一体物として強度が保持するとともに、排出される用紙を可能な限り広い支持面で支持することができる。凹形２６の形成部位は操作部２０の位置が左右方向の中央部にある場合に合わせて左右方向の中央部を例示したが、操作部２０の位置に対応させて、或いは、他のレイアウト上の都合によっては、中央部からずれた位置でも、凹形部を設けない場合よりは操作部に接近できる。
【００３４】
（ｂ）変形例
中央部に凹形２６（切り欠き形状）がある場合、センター基準方式で用紙が排出される画像形成装置であって、ロール紙３ａ、３ｂ、３ｃ、３ｄの何れかが幅の狭い用紙であり、かかる幅の狭い用紙が排出された場合、排紙台１４に留まる可能性が高いが、排出速度により、凹形２６まで届けば落下してしまう可能性がある。また、凹部２６よりも広幅の用紙であっても、その一部が凹形２６の部位で下がり良好なスタックがされにくくなる場合も想定される。
【００３５】
かかる対策として、凹形２６を開閉する開閉部材を位置可変とした例を述べる。
第１例：
図５に示したように、凹形２６の輪郭に沿って額縁状の領域で台２３の底面からの厚を薄くすることにより段部２７ａを形成しておく。ここで、図６（ａ）は台２３の平面図で凹形２６に開閉部材２８を塞いだ状態、図６（ｂ）は図６（ａ）における開閉部材２８の側面図、図６（ｃ）は図６（ａ）におけるＡ１−Ａ１矢視断面をそれぞれ示す。これらの図に示すように、この段部２７ａ及び凹形２６を覆う大きさ、形状に作製した開閉部材２８を用意し、この開閉部材２８には前記額縁状の領域に対応する部位に段部２７ａと嵌合可能な段部２７ｂを形成しておけば、この開閉部材２８で凹形２６を着脱可能に塞ぐことができる。段部２７ａ、段部２７ｂは開閉部材２８の装着位置を定めかつ、定めた位置を保持する位置決め位置保持手段の一例を構成する。
【００３６】
これら２つの段部２７ａ、２７ｂの高さ方向の寸法を等しくすれば、装着状態で接合部の段差を殆どなくすことができ、用紙先端部の引っ掛かりを防止できる。開閉部材２８には装着時に突起２４とつながる位置に突起２４ｂを設けてある。
【００３７】
かかる構成により、開閉部材２８を台２３に装着し凹形２６を閉じた場合には、幅の狭い用紙も良好にストックすることができる。また、原稿を原稿挿入口１６に挿入したり、操作部２０を操作等する場合には、開閉部材２８を台２３から取り外し、凹形２６に身体を入れることにより、操作者は画像読取手段などの操作対象に接近することができ、良好な操作性を得ることができる。
【００３８】
第２例：
前記第１例では、開閉部材２８を着脱することで可変とするものであったが、本例は、開閉部材をスライドさせることにより可変となし、凹形２６を開閉する。以下に説明する。
【００３９】
図７（ａ）に示したように、凹形２６の左右両側で、台２３の裏面に、前後方向に長いガイド２９Ｒ、２９Ｌを構成する。また、閉じ状態で凹形２６を覆い、かつ左右両側で、ガイド２９Ｒ、２９Ｌと嵌合できる大きさ形状を有する開閉部材３０を用意する。開閉部材３０の後部には閉じ状態で突起２４と同列となる位置に突起３０ｂが形成されている。
【００４０】
図７（ａ）において、開閉部材３０を矢印３１で示す向きに移動してガイド２９Ｒ、２９Ｌに摺動可能に係合させる。これにより、開閉部材３０を前後方向に可動となり、図７（ｂ）において開閉部材３０を実線及び破線で示した閉じ位置と、開閉部材３０を２点鎖線で示した開き位置とに位置を可変とすることができる。なお、図７（ｂ）では、図の煩雑を避けるため、閉じ位置で若干開閉部材３０を前方に引き出した状態で示している。
【００４１】
かかる構成では、第１例と同様に、開閉部材３０で凹形２６を閉じた場合には、幅の狭い用紙も良好にストックすることができる。また、開閉部材３０で凹形２６を開いた場合には、操作者は凹形２６に身体を入れて操作対象に接近することにより、原稿を原稿挿入口１６に挿入したり、操作部２０を操作するなど良好な操作性を得ることができる。
【００４２】
開閉部材３０を本例のように、スライド方式で位置可変とした場合、開閉部材３０は装着状態のままでよいので、着脱方式に比べて、開閉部材３０を台２３から外す手間が要らず、また、外した開閉部材３０を邪魔にならない場所を考えて置く等の考慮が不要であるので、操作者の負担が少ない利点がある。
【００４３】
ガイド２９Ｒ、２９Ｌの具体例を図８に示す。図８は図７（ｂ）におけるＡ２−Ａ２矢視断面図であり、前後方向から見た場合に相当し、ガイド２９Ｒ、２９Ｌは断面形状がＬ字形をしており、台２３との間で開閉部材３０を両側で厚み方向に摺動可能に挟んで案内機能を果たす構成である。
【００４４】
図９は図７（ｂ）におけるＡ３−Ａ３矢視断面を示し、図９（ａ）は開閉部材３０が台２３の前方側に位置して凹形２６を閉じている状態で、図７（ｂ）において実線及び破線で示した開閉部材３０の閉じ位置が略対応する。また、図９（ｂ）は開閉部材３０が台２３の後方側に位置して凹形２６をかなり開いている状態で、図７（ｂ）において２点鎖線で示した開閉部材３０の開き位置が略対応する。
【００４５】
第２例では、例えば操作部２０に対する操作の必要から開閉部材３０を移動して凹形２６を開く場合、操作者の身体で開閉部材３０を後方に押すことにより開閉部材３０が押動されて開き状態となるが、必要な操作を終えて操作者が凹形２６から退避しても、開閉部材３０は後方に移動したままとなり、閉じた位置に自動復帰しない。このため、操作者が手で位置移動し所定の閉じ位置にセットする必要がある。
【００４６】
第３例：
本例は、開閉部材３０を自動復帰するようにしたもので、ばね等の付勢手段による付勢力を利用している。図１０〜図１２により説明する。
【００４７】
図１０に示すように、ガイド２９Ｒ、２９Ｌには、開閉部材３０が嵌合して摺動する領域に、長穴３１Ｒ、３１Ｌが形成されている。ガイド２９Ｒ、２９Ｌに係合状態にある開閉部材３０には可動側ピン３２Ｒ、３２Ｌがねじ込み固定されている。詳しくは、可動側ピン３２Ｒ、３２Ｌは、長穴３１Ｒ、３１Ｌに摺動可能に嵌合する外径部をもち、端部に段付きねじ部を有しており、それぞれ、長穴３１Ｒ、３１Ｌに上記外径部を嵌合した状態でガイド開閉部材３０の裏面であって、比較的前方寄りの部位に上記段付きねじ部を螺合して固定されている。この固定状態で、可動側ピン３２Ｒ、３２Ｌの外径部は長穴３１Ｒ、３１Ｌを貫通してガイド２９Ｒ、２９Ｌから下方に突出している。可動側ピン３２Ｒ、３２Ｌは開閉部材３０をガイド２９Ｒ、２９Ｌに沿って前後方向に移動させると開閉部材３０と共に前後方向に移動する。
【００４８】
一方、ガイド２９Ｒ、２９Ｌの前方側端部近傍であって長穴３１Ｒ、３１Ｌの延長上には、固定ピン３３Ｒ、３３Ｌが植設されている。図１１に示すように、固定ピン３３Ｒと可動側ピン３２Ｒとを緊縮性のばね３４Ｒで連結されている。同様に固定ピン３３Ｌと可動側ピン３２Ｌとを緊縮性のばね３４Ｌで連結されている。
【００４９】
ばね３４Ｒ、３４Ｌの力は開閉部材３０をガイド２９Ｒ、２９Ｌに沿って移動させるに十分な力を有している。ばね３４Ｒ、３４Ｌが自然に縮んだ状態で開閉部材３０は凹形２６を閉じる位置まで移動しており、かつ、開閉部材３０の前端部が台２３の前端よりも前方で若干量突出する位置まで移動させる余力を残すように、ばね３４Ｒ、３４Ｌの長さ、強さ、及び可動側ピン３２Ｒ、３２Ｌの位置を設定してある。その上で、台２３の前端部（或いは、ガイド２９Ｒ、２９Ｌの前端部）には開閉部材３０が開閉部材３０の前端部が台２３の前端よりも突出するのを防止するストッパ３５（図１２参照）を設けておく。
【００５０】
用紙排出時は、開閉部材３０は上記ばねの付勢力による移動をストッパ３５により止められており、操作の必要が生じた場合には操作者の身体によって開閉部材３０が後方に押し動かされる。
【００５１】
ばね等の付勢手段で開閉部材３０を自動復帰するように構成した場合、開閉部材３０は常に閉じる向きに移動しようとするので操作に不便な場合もある。そこで、ばね等で後方に付勢された開閉部材３０を凹形２６から退避した状態での停止位置で保持し、また、この停止位置の保持を解除可能とするロック及びロック解除手段を設けた。これにより装置本体１ａや読取ユニット１ｂの操作時やメンテナンスに際して作業をする場合に空間を維持できるので、作業の邪魔にならない。
【００５２】
ロック及びロック解除手段を例示する。開閉部材３０の突起３０ｂが凹形２６の後方端部に突き当てられた状態、つまり、開閉部材３０が凹形２６から退避した状態で停止した位置にある状態で、台２３と開閉部材３０の重なり部に、図１０乃至図１２に示すように予め同心の穴３６、３７を開けておく。台２３に形成した穴３６は台２３を貫通している。開閉部材３０に形成した穴３７は係止機能があれば、貫通している必要はない。
【００５３】
開閉部材３０をロックする際には、図１２に示したように、矢印３９の向きに開閉部材３０を押し動かして開閉部材３０の突起３０ｂを凹形２６の後方端部に突き当てた状態で、穴３６、３７に共通に嵌合する軸部を有するストッパピン３８の該軸部をこれらの穴３６、３７に差し込む。これにより、ばね３４Ｒ、３４Ｒの付勢力による開閉部材３０を閉じる矢印４０で示した向きへの移動（戻り）は停止されロック状態となる。ロックを解除するには予め手や身体で開閉部材３０の戻りを押えつつ、ストッパピン３８を抜いてから開閉部材３０の押えを開放すればよい。これら、穴３６、３７及びストッパピン３８はロック及びロック解除手段の一例である。
【００５４】
第４例：
前記第２、３例では、開閉部材をスライドさせるものであったが、本例は、開閉部材を回動させることにより位置を可変となし、凹形２６を開閉する。以下に説明する。
【００５５】
図１３に示すように、開閉部材３１を凹形２６内に嵌入させて、その際、台２３と開閉部材３１の各上面同士が同一平面となるように位置を合わせて凹形２６を閉じた状態で、該開閉部材３１の一端側をヒンジ３９で台２３に取付ける。なお、開閉部材３１には突起３０ｂの延長上に突起３１ｂが形成してある。開閉部材３１は凹形２６に緩く嵌合する大きさとし、開閉可能な隙間を確保してある。
【００５６】
図１４は図１３におけるＡ４−Ａ４矢視断面を示し、図１４（ａ）は開閉部材３１で凹形２６を閉じた状態、図１４（ｂ）は開閉部材３１を凹形２６から回動退避させた状態をそれぞれ示している。
【００５７】
本例では、かかる構成により、必要に応じて開閉部材３１を図１３に２点鎖線で示すように、ヒンジ３９による凹形３１の輪郭ラインに沿う支点軸を支点として回動させ折り返すことができ、このような折り返し状態で凹形２６は、図１４（ｂ）に示したように開いた状態となる。
【００５８】
凹形２６を閉じた状態にするには、開閉部材３１を上記と逆向きに回動させて図１３に実線で示した状態に戻せばよい。この状態では、台２３、開閉部材３１それぞれに板厚があるので、図１４（ａ）に示したように、開閉部材３１の自重によるモーメント（矢印で示す）によりヒンジ３９の部位で両板の端面同士が当接した状態となる。開閉部材３１として軽い材料を使用すれば、開閉部材３１は閉じ状態に保持されるので、格別の支持手段は要らない。
例示したほかに、ヒンジの取り付け位置、回動の支点方向は種々のものを適宜適用できる。
【００５９】
（２.１.２）左右方向の端部の凹形
（ａ）基本形
本例は、図１５に示すように、台２３の前方端部が、左右方向における右端部の前側で、操作者による読取ユニット１ｂ（装置本体１ａ）への接近を許容し得るように、後方側に入り込む凹形４１をなし、その大きさは人が身体を入れて装置本体１ａ又は読取ユニット１ｂの操作のために装置本体１ａ側に近づくことを許容する大きさとし、好ましくはそれ以上の形状、大きさとする。形状の具体的な形状は実際に即して種々のもととすることができるが、本例では角部を略矩形状に切り欠き、前後方向のラインを前方に進む程開口が広がる傾向の傾斜とし、身体が入り込み易いようにしている。
【００６０】
本例の場合、操作部２０が読取ユニット１ｂの右側に設けてあり、操作者としては、凹形４１を介して正面から操作部２０に対面できるので、右側での操作がしやすくなる。なお、読取ユニット１ｂの横方向からでも容易に操作のため画像読取手段などマシンに近づけるが、操作部２０に対しては横向きとなる。
【００６１】
図１５の例では、操作部２０が読取ユニット１ｂ右側に設けられた例であるが、左側に設けられている場合には、左側に凹形２６を設けることで、同様な操作性を得ることができる。また、凹形２６の大きさを操作者が操作するのに邪魔にならない大きさ以上の切り欠き形状とすることにより、操作時に台２３が邪魔にならず、良好な操作が可能となる。
【００６２】
（ｂ）変形例
台２３の前方端部が、左右方向における端部で凹形４１を形成しただけでこれを塞ぐ手段がない構成の場合、幅の広い用紙が排出された場合、該凹部４１に用紙の端部が落下（垂下）してしまう場合があり、良好なスタックができない場合がある。
【００６３】
かかる対策として、凹形４１を開閉する開閉部材の位置を可変とした例を述べる。
第１例：
図１５に示したように、凹形４１の左端の前後方向の輪郭に沿って、一定幅で台２３の底面からの厚を薄くすることにより前記図５、図６で示した段部２７ａの例に準じて段部４２ａを形成しておく。また、台２３には凹形４１の後方端部の端面に開口する前後方向に軸線を有する穴４３を形成しておく。図１５におけるＡ５−Ａ５矢視断面を示した図１６（ａ）にもそれぞれ段部４２ａ、穴４３を示す。
【００６４】
一方、この段部４２ａ及び凹形４１を覆う大きさ、形状に作製した開閉部材４４を用意し、この開閉部材４４には段部４２ａと対応する部位に該段部４２ａと嵌合可能な段部４２ｂを形成し、また、穴４３と対応する後方端部の端面には該穴４３と嵌合する軸４５をそれぞれ植設しておく。図１５におけるＡ６−Ａ６矢視断面を示した図１６（ｂ）にもそれぞれ段部４２ｂ、軸４５を示す。なお、開閉部材４４には突起２４と同じ機能を有する突起４４ｂが設けられている。
【００６５】
かかる構成のもと、段部４２ａと段部４２ｂとを合わせ、かつ、穴４３に軸４５を嵌入することにより、凹形４１を開閉部材４４で着脱可能に塞ぐことができる（図１７参照）。段部４２ａ、段部４２ｂ、穴４３、軸４５は開閉部材４４の装着位置を定めかつ、定めた位置を保持する位置決め位置保持手段の一例を構成する。
【００６６】
これら２つの段部２７ａ、２７ｂの高さ方向の寸法を等しくし、穴４３及び軸４５の位置を設定することにより装着状態で接合部の段差を殆どなくすことができ、用紙先端部の引っ掛かりを防止できる。
【００６７】
かかる構成により、開閉部材４４を台２３に装着し凹形４１を閉じた場合には、幅の広い用紙も良好にストックすることができる。また、原稿を原稿挿入口１６に挿入したり、操作部２０を操作等する場合には、開閉部材４４を台２３から取り外し、凹形４１に身体を入れることにより、操作者は操作対象に接近することができ、良好な操作性を得ることができる。
【００６８】
第２例：
前記第１例では、開閉部材２８を着脱することで可変とするものであったが、本例は、開閉部材をスライドさせることにより可変となし、凹形２６を開閉する。以下に説明する。
【００６９】
図１８に示したように、台２３の前方端部に沿って（突起２４と重なる部位）該台２３の裏面に、左右方向に長いガイド４６Ｆを構成し、かつ、凹形４１の後方端部の延長線上であって、台２３の裏面に、左右方向に長いガイド４６Ｂを構成する。これらのガイド４６Ｆ、４６Ｂは前記図７乃至図１２で説明したガイド２９Ｒ、２９Ｌに準じた構成である。
【００７０】
一方、図１９（ａ）に示すように、凹形４１の左右方向長さよりも左右方向長さが長く、前後方向長さ及び厚みがガイド４６Ｆ、４６Ｂ間に嵌合できる大きさの開閉部材４７を用意し、図１９に示すようにこの開閉部材４７を矢印４８方向に移動して、これらガイド４６Ｆ、４６Ｂ間に挿入すれば、スライド可能となる。
【００７１】
開閉部材４７のスライド停止位置により、凹形４１を開閉することができる。図１９（ｂ）に示したように、開閉部材４７の右端部と台２３の右端部とが合致する位置で開閉部材４７を停止すれば凹形４１を過不足なく閉じることができるし、図１９（ｃ）に示したように開閉部材４７の右端部を凹形４１の左端部まで押し込んだ退避位置で停止すれば、凹形４１開くことができる。図示の位置よりも開閉部材４７を左方に押し込めは、凹形４１を完全に退避した状態で凹形４１を開くことができる。
【００７２】
開閉部材４７を図１９（ｂ）の閉じ位置に戻す際の掴み用の把手を開閉部材４７の裏側に設ければ、スライド操作が容易となる。また、開閉位置を規定するストッパを適宜設ければ、位置設定が容易となる。
【００７３】
本例のように開閉部材４７をスライド可能とすれば、必要に応じて展開時、収納時と使い分けが可能である。操作者は開閉部材を外す手間がいらず、また、外した開閉部材を邪魔にならない場所に置くことを考える必要がない。
【００７４】
本例では、操作者が装置本体１ｂに対面する状態での左右方向にスライド可能とした例であるが、前後方向にスライド可能としてもよく、また、前記図１０乃至図１２に示した例に準じて付勢手段で開閉部材４７を付勢することにより、また、停止位置を保持するストッパを設け、凹形４１を開いた位置から閉じる位置に自動復帰させる構成とすること、さらに、凹形４１から退避した開閉部材４７の停止位置を保持し、また、該停止位置の保持を解除可能なロック及びロック解除手段を設けることもでき、その場合には、操作時やメンテナンス時などで装置本体１ａや読取ユニット１ｂなどのマシン前面で作業をする際に空間を維持できるので、作業の邪魔にならない。
【００７５】
第３例：本例は、図２０に示したように、凹形４１を塞ぐことができる大きさの開閉部材４９を前記図１３の例に準じてヒンジ３９で台２３に取り付けたもので、凹形４１の輪郭ラインに沿う支点軸を支点として折り返すように開閉部材４９を回動することにより、開閉部材を可変となし、開閉状態を切り換えることができる。
【００７６】
（２.２）台の前方端部の全部が変位する例
部分的に凹部が形成される前記の各例では、台の前方端部の左右方向の一部が後方に入り込む構成であるので、入り込んだ凹部以外の場所に操作者が位置して操作することが必要な場合には、台２３の他の前方端部が邪魔になってしまう場合があるが、本例では、台が左右方向の全幅で前後に分割された２つの台からなり、前方の台が後方の台に対して変位して前記後方の台の前方を空ける。
【００７７】
こうして開けられた空間は、人が身体を入れて前記装置本体又は前記画像読取手段の操作のために前記装置本体側に近づくことを許容する大きさ以上とするので、操作者は左右方向のどの位置からでも装置本体１ａや読取ユニット１ｂに接近することができ、マシン前面の全面にわたり良好な操作性を得ることができる。
【００７８】
第１例：
本例は、図２１に示したように、用紙トレイ２２の台２３が、左右方向の全幅で前後に分割された２つの台２３Ａ、２３Ｂからなり、前方の台２３Ｂが後方の台２３Ａに対して並置された本来の配置状態と、前方の台２３Ｂが変位することにより後方の台２３Ａの前方に前方の台２３Ｂが位置しない状態とをとり得る。
【００７９】
具体的には前方の台２３Ｂを後方の台２３Ａに対して着脱可能としている。図２２に示すように、後方の台２３Ａにはその前方端面に開口する前後方向に軸線を有する穴５０を形成しておく。一方、前方の台２３Ｂの後方端部の端面には前記穴５０と対応する部位に該穴５０と嵌合する軸５１を植設しておく。穴５０、軸５１は前方の台２３Ｂを後方の台２３Ａに装着した状態で前方の台２３Ｂが本来の位置を占めるように装着位置を定める位置決め位置保持手段を構成する。
【００８０】
かかる構成のもと、前方の台２３Ｂを持ち、穴５０に軸５１を嵌入することにより、後方の台２３Ａに前方の台２３Ｂを組み合わせて一体化する。これにより、前方の台２３Ｂは本来の位置を占め、後方の２３Ａと共に台２３全体として用紙を受け載置する通常の排紙台機能を発揮する。
【００８１】
また、操作部２０を操作等する場合には、軸５１を穴５０から抜くことで、前方の台２３Ｂを後方の台２３Ａから取り外せば、前方の台２３Ｂが占めていた空間が空くのでそこに操作者の身体を入れることにより、操作者は操作対象に接近することができ、良好な操作性を得ることができる。
【００８２】
なお、図示しないが、別例として、上記のように軸５１や穴５０を設けず、前記図１３、図１４の例に準じて、前方の台２３Ｂの一端側（前方の台２３Ｂの後方側端部）をヒンジを介して後方の台２３Ａに対して、該後方側端部に沿う左右方向の軸線を支点にして回動するように取付けて、前方の台２３Ｂを後方の台２３Ａ上に折り返し可能な構成とし、これら２つの台を並置或いは一方を折り返すことによっても上記構成と同様の成果を得る。
【００８３】
第２例：
本例は、図２３（ａ）に示したように、用紙トレイ２２の台２３が、左右方向の全幅で前後に分割された２つの台５２Ａ、５２Ｂからなり、前方の台５２Ｂが後方の台５２Ａに対して重なり状態にあり、かかる並置された本来の配置状態と、前記重なり状態が更に増すように前方の台５２Ｂが後方にスライド変位することにより後方の台２３Ａの前方が空くようにした構成例である。
【００８４】
図２３（ｃ）に示したように、後方の排紙台５２Ａにはその左右方向の両側下面に前記図７乃至図１２で説明したガイド２９Ｌ、２９Ｒに準じたガイド５３Ｒ、５３Ｌが設けられている。
【００８５】
図２３（b）は、前方の台５２Ｂの平面図であり、長方形の板状をなし、前方端部に突起２４が設けられている。前方の台５２Ｂは突起２４が設けられた側の反対側をガイド２９Ｌ、２９Ｒに嵌合させることにより前後方向にスライド可能である。
【００８６】
図２３（ｃ）は、前方の台５２Ｂを後方の台５２Ａに対する重なりが増す方向（後方側）に掴み代を残して押し込んだ状態、図２３（d）は可能な限り引き出した状態を示している。前方の台５２Ｂはガイド５３Ｒ、５３Ｌに片持ち支持されているので、引き出した状態でも排紙台としての機能を果たす強度をもつ或る程度の重なり量が必要である。この重なり量を確保するようにして後方の台５２Ａから前方の台５２Ｂを引き出し、露出した面と後方の台５２Ａとを合わせた面で、用紙トレイ２２の台２３としての機能を果たす用紙受け面を構成する。
【００８７】
図２３（ｃ）と図２３（ｄ）における前方の台５２Ｂの露出量の差が、前方の台５２Ｂが後方にスライド変位することにより後方の台２３Ａの前方にできた空き空間であり、この空間を利用してそこに操作者の身体を入れることにより、操作者は操作対象に接近することができ、良好な操作を行うことができる。
【００８８】
ここで、前記図７乃至図１２で説明した付勢手段としてのばね３２Ｒ、３２Ｌの設置例に準じて、前方の台５２Ｂが後方の台５２Ａに対する重なり量が減る方向（前方）に向かうように付勢するようにすれば、操作者が操作時には前方の台５２Ｂを身体で押して操作位置まで容易に近づくことができ、また操作終了後には離れることにより、自動的に前方の台５２Ｂが本体の排紙台としての広さをもつように変位することになり、良好なストック性が手間をかけずに得られる。
【００８９】
また、前記図１２で説明したような穴３６、３７、ストッパピン３８を用い、前方の台５２Ｂの停止位置を保持し、また、該停止位置の保持を解除可能なロック及びロック解除手段を構成すれば、操作部２０の操作時やメンテナンス時に装置本体１ａや読取ユニット１ｂの前面で作業をする際に空間を維持できるので、作業の邪魔にならない。
【００９０】
本発明を適用した用紙ユニット２２は単独のユニットとして流通させ、画像形成装置１の前方に配置した図２のような使用環境で使用することができる。或いは、画像形成装置１の一構成部材としてセットとして流通させ、図２のような配置で使用することができる。その場合、画像形成装置１に組み付け可能とすることは勿論可能である。画像読取手段に対する操作の便だけでなく、画像形成装置を操作する操作パネルなどの操作対象が画像読取手段の近傍にある場合においても本例を適用することで操作がしやすくなる。また、画像読取手段がない構成の、画像形成装置の操作対象が本例の画像読取手段の位置にあるようなケースにおいても本例が有効であることはいうまでもない。
【００９１】
以上、台を後方に退避させた構成は、原稿載置台２５を補助するために前方にトレイを設けた場合にも同様に適用することができる。
【図面の簡単な説明】
【００９２】
【図１】本発明の画像形成装置の概略構成図である。
【図２】用紙トレイの配置例を説明した図である。
【図３】装置本体及び用紙トレイの平面図である。
【図４】装置本体及び用紙トレイの平面図である。
【図５】装置本体及び用紙トレイの平面図である。
【図６】（ａ）は用紙トレイの平面図、（ｂ）は開閉部材の側面図、（ｃ）は（ａ）におけるＡ１−Ａ１矢視断面図である。
【図７】（ａ）は台に対し開閉部材を装着する方向を示した平面図、（ｂ）は台に対し開閉部材の装着態様を示した平面図である。
【図８】図７（ｂ）におけるＡ２−Ａ２矢視断面図である。
【図９】図７（ｂ）におけるＡ３−Ａ３矢視断面図である。
【図１０】台に対する開閉部材の装着態様を説明した分解斜視図である。
【図１１】開閉部材に対する付勢手段の構成を説明した分解斜視図である。
【図１２】台及び開閉部材を左右方向の中央で左右方向に切断した場合の断面図である。
【図１３】台に対して開閉部材を回動可能に取り付けた場合の平面図である。
【図１４】図１３におけるＡ４−Ａ４矢視断面図であり、（ａ）は開閉部材が凹形部を閉じた状態、（ｂ）は開閉部材が凹形部を開いた状態を示した断面図である。
【図１５】装置本体及び用紙トレイ、開閉部材の平面図である。
【図１６】（ａ）は図１５におけるＡ５−Ａ５矢視断面図、（ｂ）は図１５におけるＡ６−Ａ６矢視断面図である。
【図１７】台の平面図である。
【図１８】装置本体及び用紙トレイの平面図である。
【図１９】（ａ）は台に対する開閉部材の装着方向を説明した平面図、（ｂ）は開閉部材が凹形部を閉じた状態を示した平面図、（ｃ）は開閉部材が凹形部を開いた状態を示した平面図である。
【図２０】開閉部材と共に示した台の平面図である。
【図２１】装置本体及び用紙トレイの平面図である。
【図２２】後方の台に対する前方の台の装着方向を説明した平面図である。
【図２３】（ａ）は装置本体及び用紙トレイの平面図、（ｂ）は分割された前方側の台の平面図、（ｃ）前方側の台を後方側の台に大きく重ねた状態の平面図、（ｄ）前方側の台を後方側の台から引き出した状態の平面図である。
【符号の説明】
【００９３】
１  画像形成装置
１ａ‐１  前面
１ａ  装置本体
１ｂ  画像読取手段（読取ユニット）
２  給紙部
３ａ、３ｂ、３ｃ、３ｄ  ロール紙
１３  排紙ローラ
１４  排紙台
１６  原稿挿入口
１７、１８、３１、３９、４０、４８  矢印
１９  原稿トレイ
２０  操作部
２１  排出口
２２  用紙トレイ
２３、２３Ａ、２３Ｂ、５２Ａ、５２Ｂ  台
２４、２４ｂ、３０ｂ、３１ｂ、４４ｂ  突起
２５  原稿載置台
２６、４１  凹形
２８、３０、３１、４４、４７、４９  段部開閉部材
２９Ｒ、２９Ｌ、４６Ｆ、４６Ｂ、５３Ｒ、５３Ｌ  ガイド
３２Ｒ、３２Ｌ  可動ピン
３３Ｒ、３３Ｌ  固定ピン
３４Ｒ、３４Ｌ  ばね
３５  ストッパ
３６、３７、４３、５０  穴
３８  ストッパピン
３９  ヒンジ
４５、５１  軸
【図１】
2009120295.tif 000003
【図２】
2009120295.tif 000004
【図３】
2009120295.tif 000005
【図４】
2009120295.tif 000006
【図５】
2009120295.tif 000007
【図６】
2009120295.tif 000008
【図７】
2009120295.tif 000009
【図８】
2009120295.tif 000010
【図９】
2009120295.tif 000011
【図１０】
2009120295.tif 000012
【図１１】
2009120295.tif 000013
【図１２】
2009120295.tif 000014
【図１３】
2009120295.tif 000015
【図１４】
2009120295.tif 000016
【図１５】
2009120295.tif 000017
【図１６】
2009120295.tif 000018
【図１７】
2009120295.tif 000019
【図１８】
2009120295.tif 000020
【図１９】
2009120295.tif 000021
【図２０】
2009120295.tif 000022
【図２１】
2009120295.tif 000023
【図２２】
2009120295.tif 000024
【図２３】
2009120295.tif 000025